(57)【要約】【課題】紙葉類の配達区分情報の認識失敗の際、企業などを特定するマークなどが同じ種類の紙葉類については自動ＶＣＤ装置によって認識パラメータ又はアルゴリズムを変更しながら認識し、認識できたパラメータをオンラインで動作する紙葉類処理装置に送信することによりオンライン自動認識効率が向上する紙葉類処理システム、紙葉類処理装置及び自動ＶＣＤ装置を提供する。【解決手段】ＯＣＲ装置１２は、当該受信した画像を認識する際、上記自動ＶＣＤ装置２０からパラメータ又はアルゴリズムの転送があり(Ｓ０６のＹｅｓ)、かつ、当該紙葉類処理装置が停止中で、かつ、紙葉類の種類が登録済みの場合に(Ｓ０７のＹｅｓ)当該紙葉類を認識するパラメータ又はアルゴリズムを、転送されたパラメータ又はアルゴリズムに変更するオフラインフィードバックモードを有する。このモードにより変更されたパラメータ又はアルゴリズムによりオンライン自動認識を行う。【選択図】  図３
2015116522.tif 000002
【特許請求の範囲】
【請求項１】
紙葉類を搬送する搬送手段と、
当該紙葉類に記載された配達区分情報に係る紙葉類画像から前記配達区分情報を認識する認識手段と、
前記認識手段により認識された配達区分情報に基づいて前記紙葉類を区分する区分手段と、
前記認識処理手段により配達区分情報を認識されなかった紙葉類画像を配信する配信手段と、
を備える紙葉類処理装置と、
前記紙葉類処理装置から配信された紙葉類画像を受信する受信手段と、
配達区分情報を認識するためのパラメータ又はアルゴリズムの少なくとも一方を変更し認識することを所定回数繰り返す繰り返し認識手段と、
この繰り返し認識手段による認識の結果、配達区分情報が認識された場合、当該認識された紙葉類の種類を登録する登録手段と、
当該認識ができた紙葉類の種類に対するパラメータ及びアルゴリズムを当該紙葉類の種類と関連付けて保存するパラメータ・アルゴリズム保存手段と、
前記登録手段で登録された紙葉類の種類及び当該紙葉類の種類に対するパラメータ・アルゴリズム保存手段によって保存されたパラメータ及びアルゴリズムの少なくとも一方を前記紙葉類処理装置に転送する転送手段と
を備える自動ＶＣＤ装置と、
を有する紙葉類処理システム。
【請求項２】
前記紙葉類処理装置の認識手段は、
前記配達区分情報を認識するために事前に設定されたパラメータ及びアルゴリズム又は当該紙葉類を認識する直前までに設定されたパラメータ及びアルゴリズムによって当該紙葉類を認識する通常モードと、
前記自動ＶＣＤ装置から前記パラメータ及びアルゴリズムの配信があり、かつ、当該紙葉類の種類が登録済みの場合、当該配信されたパラメータ及びアルゴリズムを、当該紙葉類を認識するパラメータ及びアルゴリズムとするために変更するパラメータ・アルゴリズム変更手段を有するオフラインフィードバックモードと、
前記通常モード又はオフラインフィードバックモードで設定されたパラメータ及びアルゴリズムを用いて当該紙葉類の配達区分情報を認識する請求項１に記載の紙葉類処理システム。
【請求項３】
前記紙葉類の種類は、
紙葉類に記載される企業を特定するマーク・又は文字で特定された紙葉類であることを特徴とする請求項１に記載の紙葉類処理システム。
【請求項４】
紙葉類を取り出して搬送し、当該紙葉類表面に記載された郵便番号及び住所などの配達区分情報に係る画像を読み取り、当該読み取った画像を認識し、その認識結果に基づいて区分集積する紙葉類処理装置と、この紙葉類処理装置で認識できない紙葉類画像をオフラインで認識するオフライン自動認識手段を有する自動ＶＣＤ装置と、を備えた紙葉類処理システムの紙葉類処理装置であって、
紙葉類を搬送する搬送手段と、
当該紙葉類に記載された配達区分情報に係る紙葉類画像から前記配達区分情報を認識する認識手段と、
前記認識手段により認識された配達区分情報に基づいて前記紙葉類を区分する区分手段と、
前記認識処理手段により配達区分情報を認識されなかった紙葉類画像を配信する配信手段と、を有し、
前記認識手段は、
前記配達区分情報を認識するために事前に設定されたパラメータ及びアルゴリズム又は当該紙葉類を認識する直前までに設定されたパラメータ及びアルゴリズムによって当該紙葉類を認識する通常モードと、
前記自動ＶＣＤ装置から前記パラメータ及びアルゴリズムの配信があり、かつ、当該紙葉類の種類が登録済みの場合、当該配信されたパラメータ及びアルゴリズムを、当該紙葉類を認識するパラメータ及びアルゴリズムとするために変更するパラメータ・アルゴリズム変更手段を有するオフラインフィードバックモードと、
前記通常モード又はオフラインフィードバックモードで設定されたパラメータ及びアルゴリズムを用いて当該紙葉類の配達区分情報を認識する紙葉類処理システムの紙葉類処理装置。
【請求項５】
紙葉類を取り出して搬送し、当該紙葉類表面に記載された郵便番号及び住所などの配達区分情報に係る画像を読み取り、当該読み取った画像を認識し、その認識結果に基づいて区分集積する紙葉類処理装置と、この紙葉類処理装置で認識できない紙葉類画像をオフラインで認識するオフライン自動認識手段を有する自動ＶＣＤ装置と、を備えた紙葉類処理システムの自動ＶＣＤ装置であって、
前記紙葉類処理装置から配信された紙葉類画像を受信する受信手段と、
配達区分情報を認識するためのパラメータ又はアルゴリズムの少なくとも一方を変更し認識することを所定回数繰り返す繰り返し認識手段と、
この繰り返し認識手段による認識の結果、配達区分情報が認識された場合、当該認識された紙葉類の種類を登録する登録手段と、
当該認識ができた紙葉類の種類に対するパラメータ及びアルゴリズムを当該紙葉類の種類と関連付けて保存するパラメータ・アルゴリズム保存手段と、
前記登録手段で登録された紙葉類の種類及び当該紙葉類の種類に対するパラメータ・アルゴリズム保存手段によって保存されたパラメータ及びアルゴリズムの少なくとも一方を前記紙葉類処理装置に転送する転送手段と、
を備える紙葉類処理システムの自動ＶＣＤ装置。
【発明の詳細な説明】
【技術分野】
【０００１】
本実施形態は、郵便物等紙葉類の住所を認識して区分する紙葉類処理システム、紙葉類処理装置及び自動ＶＣＤ装置に関する。
【背景技術】
【０００２】
近年、郵便物等紙葉類は、当該紙葉類に記載された郵便番号、住所又は特殊番号などの配達区分情報を読取り区分する紙葉類処理装置によって自動的に区分されるようになってきた（これをオンライン自動認識処理という。）。しかしながら、当該紙葉類処理装置によるオンライン自動認識処理によって上記住所などの配達区分情報が認識できなかった紙葉類は、ＶＣＤ（Video Coding Desk：ビデオコーディングデスク）装置又は自動ＶＣＤ装置などのオフライン装置で処理されている。特に、集中情報処理システムにおいて、オフラインで所定の宛先別の認識率を基にパラメータを変更してシミュレーションし、満足のいくパラメータを郵便区分機に配信する方法が知られている。
【先行技術文献】
【特許文献】
【０００３】
【特許文献１】特開２０１１−１９４２８７号公報
【発明の概要】
【発明が解決しようとする課題】
【０００４】
上述した方式では、企業などが送付するダイレクトメールや公共事業者が送付する公共料金支払い封書など、一度に大量に処理される紙葉類において、配達区分情報を上記オンライン自動認識処理によって認識できない場合には、認識できなかった同じ種類の紙葉類の配達区分情報が大量に上記自動ＶＣＤ装置によるオフライン処理に配信される。自動ＶＣＤ装置は、受信した配達区分情報を、達区分情報を認識するためのパラメータ又はアルゴリズムを変更しながら自動認識を行う。しかしながら、上記ダイレクトメールなどの紙葉類の種類の認識ができなかった場合は、当該紙葉類の種類によって設定される配達区分情報の認識エリアの設定を過ってしまうなどにより、配達区分情報の認識ができず、結果的に、紙葉類の種類の認識ができなかった大量の紙葉類が、ＶＣＤ装置によるオフライン処理に送られる。ＶＣＤ装置は、原則、人間によって認識するめ、処理時間がかかり、当該紙葉類処理装置の処理効率が低下するという課題があった。
【０００５】
本発明は、上述した課題を解決するためになされたもので、オンライン自動認識効率が向上する紙葉類処理システム及び紙葉類処理装置を提供することを目的とする。
【課題を解決するための手段】
【０００６】
上記目的を達成するために、本発明の請求項１記載の紙葉類処理システムは、紙葉類を搬送する搬送手段と、当該紙葉類に記載された配達区分情報に係る紙葉類画像から前記配達区分情報を認識する認識手段と、前記認識手段により認識された配達区分情報に基づいて前記紙葉類を区分する区分手段と、前記認識処理手段により配達区分情報を認識されなかった紙葉類画像を配信する配信手段と、を備える紙葉類処理装置と、前記紙葉類処理装置から配信された紙葉類画像を受信する受信手段と、配達区分情報を認識するためのパラメータ又はアルゴリズムの少なくとも一方を変更し認識することを所定回数繰り返す繰り返し認識手段と、この繰り返し認識手段による認識の結果、配達区分情報が認識された場合、当該認識された紙葉類の種類を登録する登録手段と、当該認識ができた紙葉類の種類に対するパラメータ及びアルゴリズムを当該紙葉類の種類と関連付けて保存するパラメータ・アルゴリズム保存手段と、前記登録手段で登録された紙葉類の種類及び当該紙葉類の種類に対するパラメータ・アルゴリズム保存手段によって保存されたパラメータ及びアルゴリズムの少なくとも一方を前記紙葉類処理装置に転送する転送手段とを備える自動ＶＣＤ装置と、を有する。
【図面の簡単な説明】
【０００７】
【図１】本実施例に係る紙葉類処理システムの概略構成図。
【図２】本実施例で使用される紙葉類の一例。
【図３】図１に係る紙葉類処理システムにおけるオンライン自動認識処理のフローチャート。
【図４】図１に係る紙葉類処理システムにおけるオフライン自動認識処理のフローチャート。
【発明を実施するための形態】
【０００８】
以下、図面を参照して本実施例に係る紙葉類処理システム及び紙葉類処理装置の動作を説明する。
【実施例１】
【０００９】
図１は、本実施例に係る紙葉類処理システム１００の概略構成図の一例である。紙葉類処理システム１００は、紙葉類処理装置１０、自動ＶＣＤ装置２０及びＶＣＤ（Video Coding Desk：ビデオコーディングデスク）装置３０、３１・・が通信回線としてのＬＡＮ（Local Area Network:特定領域内の通信ネットワーク）５０を介して接続されて構成される。通信回線は、上記ＬＡＮに限らずセキュリティを確保した上で公衆回線をその一部に使用して構成する場合もある。
【００１０】
図２は、本実施例で使用される紙葉類Ｐの一例である。紙葉類Ｐには郵便番号を記載する郵便番号領域Ｐ１及び宛先の住所を記載する住所領域Ｐ２が設けられており、企業などによって独自に設定される。その他、郵便別納マークＭ１（以下、特定マークＭ１と称する。）及び企業名マークＭ２（以下、特定マークＭ２と称する。）などを記載するマーク領域が設けられている。以下、これらの図を参照して説明する。
【００１１】
紙葉類処理装置１０は、紙葉類Ｐを1通ごとに取り出して搬送し、当該紙葉類表面に記載された郵便番号及び住所等の配達区分情報をスキャナ１１で読み取り、読み取った紙葉類画像をＯＣＲ（Optical Character Recognition:光学式文字認識）装置１２で認識し、認識された配達区分情報に基づき、区分先ごとに設けられたスタッカ１３に集積する装置である。
【００１２】
上記ＯＣＲ装置１２による配達区分情報の認識処理は下記（１）〜（３）の手順で行う。
【００１３】
（１）スキャナ１１で読み取った読取り画像を元に、郵便番号領域Ｐ１及び住所領域Ｐ２を検出し、検出した領域座標を紙葉類処理装置１０内部の記憶部（図示しない）に保存する。
【００１４】
（２）上記読み取り画像を元に、特徴的なマークＭ１及びＭ２を検出し、（１）同様、領域座標を上記記憶部に保存する。
【００１５】
（３）後述する紙葉類処理装置によるオンライン自動処理において、登録済み紙葉類か否かは、上記（１）、（２）によって検出された領域情報を元に、登録されている紙葉類との類似度が設定された閾値を超えるか否かによって判定される。類似度が閾値を超える場合は登録された紙葉類と判定され、類似度が閾値に達しない場合は、登録された紙葉類ではないと判定される。
【００１６】
以上の認識処理の結果、配達区分情報が認識できない場合、当該認識できない紙葉類Ｐの読み取り画像（認識失敗画像）Ｐｎｇは、自動ＶＣＤ装置２０に送信される。
【００１７】
自動ＶＣＤ装置２０は、ＣＰＵ部（図示しない）、記憶部２１、通信部（図示しない）及び操作表示部２２などを有して構成され、紙葉類処理装置１０とＬＡＮ５０を介して接続される。ＣＰＵ部は、認識失敗画像Ｐｎｇを紙葉類処理装置１０から受信すると、記憶部２１に保存されたオフライン自動認識処理プログラムに基づき、オフライン自動認識処理（後述する）を実行する。
【００１８】
自動ＶＣＤ装置２０は、例えば、図２に示す特定マークＭ１及びＭ２を登録する特定マーク登録手段を有する。
【００１９】
なお、この特定マーク登録手段は、オフライン自動認識処理の中で自動登録される（後述する）他、下記（１）〜（３）に示す手動登録も可能である。
【００２０】
（１）操作員が、登録を要する特定マークが記載された紙葉類Ｐを紙葉類処理装置１０の供給部（図示しない）に供給し、当該紙葉類処理装置１０及び自動ＶＣＤ装置２０を保守モード（図示しない）で駆動すると、特定マークが記載された紙葉類Ｐが搬送される。
【００２１】
（２）搬送された紙葉類Ｐの特定マークＭ１及びＭ２は、スキャナ１１で読み取られる。
【００２２】
（３）読み取られた特定マークＭ１及びＭ２の読み取り画像は、必要に応じてＯＣＲ装置１２で認識される。特定マークがＯＣＲ装置１２で認識可能な文字で構成されている場合があるからである。
【００２３】
読み取られた特定マークＭ１及びＭ２の画像及び認識結果は、自動ＶＣＤ装置２０に送信される。
【００２４】
自動ＶＣＤ装置２０は、受信した特定マークＭ１及びＭ２の画像及び認識結果を記憶部２１に登録する。なお、ここでは、特定マーク及び認識結果を登録する装置として自動ＶＣＤ装置を用いたが、これに限らず、自動ＶＣＤ装置２０及び紙葉類処理装置１０と通信回線で接続された記憶装置であれば設置位置は問わない。以上の処理により、特定マークＭ１及びＭ２が登録される。
【００２５】
上述した自動ＶＣＤ装置２０によって配達区分情報が認識できた場合は当該認識できた配達区分情報が紙葉類処理装置１０に送信される。一方、自動ＶＣＤ装置２０によって配達区分情報が認識できない場合、当該認識できなかった画像（認識失敗画像）は、操作員が目視で認識するＶＣＤ装置３０、３１に配信される。
【００２６】
ＶＣＤ装置３０は、ＣＰＵ部（図示しない）、記憶部３０ａ、通信部（図示しない）及び操作表示部３０ｂなどを有して構成され、紙葉類処理装置１０、自動ＶＣＤ装置２０とＬＡＮ５０を介して複数台接続される。
【００２７】
ＶＣＤ装置３０は、操作員が操作表示部３０ｂを操作することにより、自動ＶＣＤ装置２０から配信された認識失敗画像を当該操作表示部３０ｂに表示し、配達区分情報を目視認識する。確認できた情報は、紙葉類処理装置１０に送信される。
【００２８】
紙葉類処理装置１０は、自動ＶＣＤ装置２０からの配達区分情報及びＶＣＤ装置３０から配達区分情報を受信し、受信した配達区分情報に基づいて区分先ごとに設けられたスタッカに集積する。
【００２９】
一方、自動ＶＣＤ装置２０及びＶＣＤ装置３０で配達区分情報が認識できなかった場合、紙葉類処理装置１０は、排除券スタッカに当該紙葉類Ｐを集積する。
【００３０】
図３は、図１に係る紙葉類処理システムにおけるオンライン自動認識処理のフローチャートである。このオンライン自動認識処理は、ＯＣＲ装置１２によって実行される。
【００３１】
ＯＣＲ装置１２は、オンライン時、上記スキャナ１１で読み取った画像を受信する（Ｓ０１）。
【００３２】
ＯＣＲ装置１２は、通常モードとオフラインフィードバックモードを有し、この何れかが選択される（Ｓ０２）。
【００３３】
通常モードは（Ｓ０２の通常モード）、事前に設定されたパラメータ及びアルゴリズム又は当該紙葉類を認識する直前までに設定されたパラメータ及びアルゴリズムによって当該紙葉類を認識するモードである。
【００３４】
一方、オフラインフィードバックモードは（Ｓ０２のオフラインフィードバックモード）、上述した自動ＶＣＤ装置２０からパラメータ及びアルゴリズムの配信があり（Ｓ０６のＹｅｓ）、所定の要件の下、当該配信されたパラメータ及びアルゴリズムを、当該紙葉類を認識する認識パラメータ及びアルゴリズムとするために変更するモードである。
【００３５】
上記認識パラメータ及びアルゴリズムを変更するための所定要件は、上記自動ＶＣＤ装置２０から認識パラメータ又はアルゴリズムの転送があり（Ｓ０６のＹｅｓ）、かつ、当該紙葉類処理装置が停止中で、かつ、紙葉類の種類が登録済みの場合（Ｓ０７のＹｅｓ）、が該当する。
【００３６】
なお、上記停止中とは、紙葉類処理装置は稼働中であるが、紙葉類の処理を行っていない状態をいう。例えば、図１において、紙葉類処理装置１０に紙葉類Ｐが供給されると、紙葉類処理装置１０は、当該供給された紙葉類Ｐを１枚ずつ取出して搬送し、当該紙葉類Ｐの配達区分情報に基づきスタッカ１３への区分処理を行うが、上記停止中とは、この区分処理が終了し、次の紙葉類が供給されるのを待っている状態をいうのである。
【００３７】
自動ＶＣＤ装置２０は、認識パラメータ及びアルゴリズムを変更しながら認識を繰り返すため、ここでの認識結果は検証済みであり、その結果が自動ＶＣＤ装置２０から登録済み紙葉類を認識するための認識パラメータ及びアルゴリズムとして配信された場合には、この情報を有効活用し認識効率を向上するのである。
【００３８】
なお、オフラインフィードバックモードは、自動ＶＣＤ装置２０から認識パラメータ及びアルゴリズムの配信がいつ発生するか予測できないため、通常は、当該認識パラメータ及びアルゴリズムの配信があった場合に自動的に当該処理に移行するのが好適である。
【００３９】
また、通常モードとオフラインフィードバックモードの選択は、操作員の指示に基づいて設定できるようにしてもよい。認識パラメータ及びアルゴリズムを変更するタイミングは紙葉類処理システムを管理する管理者又は装置を操作する操作員の裁量で行う方が良い結果が得られる場合も考えられるからである。
【００４０】
上記通常モード又は上記オフラインフィードバックモードによって設定されたパラメータ及びアルゴリズムを用いて当該紙葉類の配達区分情報が認識される（Ｓ０３、オンライン自動認識手段）。
【００４１】
なお、上記オンライン自動認識は、以下の処理によって行われる（Ｓ０３）。
【００４２】
（１）ステップＳ０１で取得した紙葉類の画像を元に、紙葉類に記載された行及び文字列を検出し、文字を切り出し（検出切出手段（検切手段））、切り出した文字を認識する。
【００４３】
（２）文字認識した結果をデータベース（図示しない）と照合することにより郵便番号及び住所を認識する（以下、ここでは、郵便番号認識及び住所認識を特に区別する場合を除いて住所認識と称する。）
上記住所認識の結果を受けて区分搬送し、指定されたスタッカに区分する（Ｓ０５）。
【００４４】
ステップＳ０４において、住所が認識されなかった場合（Ｓ０４のＮｏ）、オフラインで認識手段を有する自動ＶＣＤ装置２０に、当該認識できなかった認識失敗画像Ｐｎｇを転送する（Ｓ１０）。
【００４５】
ステップＳ０６において、上記自動ＶＣＤ装置２０からパラメータ又はアルゴリズムの配信がなかった場合（Ｓ０６のＮｏ）、及び登録済みの紙葉類でなかった場合（Ｓ０７のＮｏ）、パラメータ及びアルゴリズムの変更はできないため、ステップＳ０３に移行してそれ以前に設定されたパラメータ及びアルゴリズムに基づいてオンライン自動認識が行われる（Ｓ０３）。
【００４６】
なお、オフラインフィードバックモードは、紙葉類処理装置が停止中に実行され、上述した要件（ステップＳ０６-Ｓ０７）が満たされた場合に、配達区分情報を認識するパラメータ又はアルゴリズムの変更が行われ（Ｓ０８、パラメータ・アルゴリズム変更手段）、紙葉類処理装置がオンライン状態になった際に、当該変更されたパラメータ及びアルゴリズムに基づき認識処理が実行される。
【００４７】
以上の処理の結果、オフライン自動認識処理で得られたパラメータ又はアルゴリズムは、オンラインモードにフィードバックされるのである。
【００４８】
ＯＣＲ装置１２は、当該フィードバックされたパラメータ及びアルゴリズムを用いてオンライン自動認識を行う（Ｓ０３）。このオンライン自動認識処理後の処理は上述した通りである。
【００４９】
図４は、図１に係る紙葉類処理システムにおけるオフライン自動認識処理のフローチャートである。このオフライン自動認識処理は、自動ＶＣＤ装置２０によって実行される。
【００５０】
オンライン自動認識処理のステップＳ０３で配達区分情報が認識不可（Ｓ０４のＮｏ）とされてＯＣＲ装置１２から自動ＶＣＤ装置２０へ送信（Ｓ１０、転送手段）された認識失敗画像が、登録済み紙葉類か否か判定する（Ｓ２０、登録済み判定手段）。すなわち、上述した特定マークＭ１、Ｍ２がその認識失敗画像に含まれるか否かなど、当該登録された紙葉類の特徴と比較し、登録された紙葉類か否かを判定する。この判定の結果、登録済み紙葉類の場合は（Ｓ２０のＹｅｓ）、当該認識できなかった紙葉類が個別の理由により配達区分情報を認識できない場合があるため、ＶＣＤ装置３０、３１に当該認識失敗画像を配信する（Ｓ３０、配信手段）。ＶＣＤ装置３０、３１に配信された認識失敗画像は、ＶＣＤ操作員により確認される。
【００５１】
一方、ステップＳ２０において、上述した特定マークＭ１、Ｍ２が登録済み紙葉類でない場合（Ｓ２０のＮｏ）、配達区分情報を認識するためのパラメータ又はアルゴリズムの少なくとも一方を変更し、変更された状態で認識処理を実行する（繰り返し認識手段）。ここでは、試行回数（上記所定回数と同意）を設定するＮの値を０（Ｎ＝０）に設定し（Ｓ２１）、オフライン自動認識を行う（Ｓ２２、認識手段）。
【００５２】
この認識の結果、配達区分情報を認識できなかった場合（Ｓ２３のＮｏ）、Ｎの値が最大試行回数（所定回数）Ｎｍａxを超えたか否か判定する（Ｓ２４）。この判定の結果、最大試行回数Ｎｍａｘを超えていない場合（Ｓ２４のＮｏ）、試行回数Ｎをインクリメントし（Ｓ２５）、パラメータ又はアルゴリズムを変更し（Ｓ２６）、認識処理を実行する（Ｓ２２）。この認識の結果、認識ができなかった場合は、試行回数Ｎが最大試行回数Ｎｍａｘを超えるまでパラメータ又はアルゴリズムを変更しながら認識処理を繰り返す。
【００５３】
なお、パラメータ又はアルゴリズムの変更手順は、紙葉類の種類に応じて事前に設定される。ここでは、パラメータ又はアルゴリズムの具体的な設定方法は、発明の趣旨と異なるため、省略する。
【００５４】
上記オフライン自動認識の結果、配達区分情報を認識できた場合（Ｓ２３のＹｅｓ）、認識できた紙葉類の記載された特定マークＭ１、Ｍ２を登録し（Ｓ２７、登録手段）、この認識できた際に適用したパラメータ及びアルゴリズムを保存する（Ｓ２８）と共に、認識結果を保存する（Ｓ２８、パラメータ・アルゴリズム保存手段）。なお、この認識結果には、上述した紙葉類の特定マークＭ１、Ｍ２が含まれる。
【００５５】
当該紙葉類処理装置停止中、上記紙葉類の認識結果（この認識結果には、紙葉類の特定マーク、パラメータ及びアルゴリズムが含まれる）をオンライン自動認識処理に転送する（Ｓ３０、転送手段）。なお、上記紙葉類の認識結果は、発生の都度当該紙葉類処理装置に送信することも可能である。この場合は、紙葉類処理装置が停止中に当該紙葉類の認識結果を読み出しても同様の効果が得られる。
【００５６】
なお、上述した紙葉類の配達区分情報の認識処理では、紙葉類に共通のマークが記載されている場合を例に説明したが、これに限らず企業などが送付するダイレクトメールや公共事業者が送付する公共料金支払い封書など、一度に大量に処理される紙葉類の特徴情報が紙葉類に記載されている場合も含まれる。なお、当該特徴情報は、自動ＶＣＤ装置２０に登録する場合に限らず、紙葉類処理装置１０及び自動ＶＣＤ装置２０と通信可能に接続された記憶装置に登録しておくことも実施形態に含まれる。従ってマークに限らず文字によって特定可能な場合いはその文字も特徴情報に含まれる。
【００５７】
以上の説明で明らかなように、本実施例によれば、一度に大量に処理される同じ種類の紙葉類がオンライン自動認識処理に失敗し、大量に排除され、オフライン自動認識処理に回されることにより、処理遅延が発生するのを防止することができる。
【符号の説明】
【００５８】
１００  紙葉類処理システム
１０  紙葉類処理装置
２０  自動ＶＣＤ装置
３０、３１  ＶＣＤ装置
Ｐ  紙葉類
Ｐｎｇ  紙葉類Ｐの認識失敗画像
【図１】
2015116522.tif 000003
【図２】
2015116522.tif 000004
【図３】
2015116522.tif 000005
【図４】
2015116522.tif 000006